(57)【要約】【課題】前当て部に位置決めされる枚葉紙の前端部の上方移動を規制しつつ当該枚葉紙を前当て部にて確実に位置決めすることで、印刷不良や給紙不良などの不具合を抑制することができる印刷機を提供する。【解決手段】給紙板上を搬送される枚葉紙Ｐの前端に当接して該枚葉紙Ｐを位置決めする前当て部３と、該前当て部３に位置決めされる枚葉紙Ｐの前端部上方に位置して当該枚葉紙Ｐの前端部の上方移動を規制する上当て部４とを備え、該上当て部４は、前記枚葉紙Ｐの前端部の上方移動を規制すべく前記給紙板に接近した規制位置Ｕ１と、該規制位置Ｕ１よりも前記給紙板から離れた待受位置Ｕ２とを移動可能に構成されており、前記待受位置Ｕ２から前記規制位置Ｕ１へ移動する際に、搬送方向下流側且つ下方側へ移動するように構成されていることを特徴とする。【選択図】図１
2008194931.tif 000002
【特許請求の範囲】
【請求項１】
給紙板上を搬送される枚葉紙の前端に当接して該枚葉紙を位置決めする前当て部と、該前当て部に位置決めされる枚葉紙の前端部上方に位置して当該枚葉紙の前端部の上方移動を規制する上当て部とを備え、
該上当て部は、前記枚葉紙の前端部の上方移動を規制すべく前記給紙板に接近した規制位置と、該規制位置よりも前記給紙板から離れた待受位置とを移動可能に構成されており、前記待受位置から前記規制位置へ移動する際に、搬送方向下流側且つ下方側へ移動するように構成されていることを特徴とする印刷機。
【請求項２】
前記前当て部は、前記枚葉紙を位置決めすべく前記給紙板から上方へ突出した位置決め位置と、前記給紙板よりも下方側に位置する前当待避位置との間を往復移動するように構成されており、前記上当て部は、前記前当て部が前記位置決め位置に位置した状態で、前記待受位置から前記規制位置へ移動することを特徴とする請求項１に記載の印刷機。
【請求項３】
前記上当て部は、その回動中心が前記給紙板の下方側に配置されて搬送方向に回動自在に構成されており、前記前当て部は、その回動中心が前記給紙板の下方側で且つ前記上当て部の回動中心よりも搬送方向上流側に配置されて搬送方向に回動自在に構成されており、
前記上当て部の回動は、前記待受位置と、該待受位置よりも搬送方向下流側で且つ前記給紙板よりも下方側に位置する上当待避位置との間を往復移動し、前記待受位置から前記上当待避位置へ移動する途中で前記規制位置となる回動であり、前記前当て部の回動は、前記枚葉紙を位置決めすべく前記給紙板から上方へ突出した位置決め位置と、該位置決め位置よりも搬送方向下流側で且つ前記給紙板よりも下方側に位置する前当待避位置との間を往復移動する回動であり、
前記上当て部は、前記前当て部が前当待避位置から位置決め位置へ回動すると共に上当待避位置から待受位置へ回動し、前記前当て部が位置決め位置に位置した状態で待受位置から規制位置へ回動し、前記前当て部が位置決め位置から前当待避位置へ回動すると共に規制位置から上当待避位置へと回動するように構成されていることを特徴とする請求項１又は２に記載の印刷機。
【請求項４】
前記前当て部を回動させるための前当カムと前記上当て部を回動させるための上当カムとが１つの軸線上に並設され、これら両カムを前記軸線周りに一体的に回転させることにより、前記前当て部と前記上当て部とを連動させながら各々の回動動作を独立して駆動制御するように構成されていることを特徴とする請求項３に記載の印刷機。
【発明の詳細な説明】
【技術分野】
【０００１】
本発明は、印刷機に関し、特に、給紙板上を搬送される枚葉紙の前端に当接して該枚葉紙を位置決めする前当て部と、該前当て部に位置決めされる枚葉紙の前端部の上方移動を規制する上当て部とを備える印刷機に関する。
【背景技術】
【０００２】
従来、この種印刷機としては、例えば、その回動中心である第１回動中心が給紙板の下方側に配置されて搬送方向に回動自在な前当て部と、その回動中心である第２回動中心が前記前当て部に配置されて搬送方向に回動自在な上当て部とを備えたものが知られている。
【０００３】
かかる印刷機の前当て部は、前記給紙板上を搬送される枚葉紙を位置決めすべく該給紙板上に突出する位置決め位置と、該位置決め位置よりも搬送方向下流側で且つ前記給紙板よりも下方側となる前当待避位置との間を、前記第１回動中心周りに回動して往復移動するように構成されている。また、上当て部は、前記前当て部に当接して位置決めされる枚葉紙の前端部が上方移動するのを規制すべく前記給紙板に接近した規制位置と、該規制位置よりも前記給紙板から離れた待受位置との間を、前記第２回動中心周りに回動して往復移動するように構成されている（下記特許文献１参照）。
【０００４】
このような構成の印刷機にあっては、上当て部は、その回動の中心である前記第２回動中心が前当て部に設けられているため、前記前当て部が前当待避位置から位置決め位置へ回動（前記第１回動中心周りに搬送方向上流側へ回動）すると、前当て部と共に回動する。その際、上当て部は、前記第２回動中心周りに搬送方向下流側へ回動して前記待受位置となる。即ち、上当て部は、前記前当て部と共に前記第１回動中心周りに搬送方向上流側へ回動することで前記第２回動中心が前記給紙板の下流端部に接近し、当該上当て部自体が前記第２回動中心周りに搬送方向下流側に回動して前記給紙板との間の隙間が広くなるように離れた状態（待受位置）となる。
【０００５】
かかる印刷機にあっては、前記上当て部が待受位置に位置しているときに該上当て部と前記給紙板との間の隙間が広くなっているため、その前端部が該給紙板に沿った状態の枚葉紙が前記給紙板上を搬送される場合だけでなく、例えば、当該前端部が前記給紙板から上方へ移動した状態（例えば、当該前端部が給紙板から浮き上がってカールした状態）の枚葉紙が前記給紙板上を搬送されるような場合であっても、給紙板と上当て部との間の隙間への当該前端部の進入が許容される。
【０００６】
そして、前記給紙板と前記上当て部との間の隙間に枚葉紙の前端部が進入すると、上当て部は、前記待受位置から第２回動中心周りに搬送方向上流側へ回動して前記位置決め位置へと移動し、当該枚葉紙の前端部の上方移動を規制する。例えばその前端部がカールした枚葉紙が上当て部と給紙板との間の隙間へ進入した場合には、前記上当て部は、前記待受位置から前記位置決め位置へ移動して当該前端部が前記給紙板に沿うように該前端部を押さえ、枚葉紙のカールを除去する。
【０００７】
一方、他の印刷機として、その回動中心である第１回動中心が給紙板の下方側に配置されて搬送方向に回動自在な前当て部と、その回動中心である第２回動中心が前記第１回動中心よりも搬送方向下流側で且つ前記給紙板の下方側に配置されて搬送方向に回動自在な上当て部とを備え、前記第１回動中心と前記第２回動中心とは、リンク機構を介して連結されると共に前記第１回動中心周りに回動自在なレバーによって連結されているものが知られている（下記特許文献２参照）。
【０００８】
かかる印刷機の前当て部は、前記給紙板上を搬送される枚葉紙を位置決めすべく該給紙板上に突出する位置決め位置と、該位置決め位置よりも搬送方向下流側で且つ前記給紙板よりも下方側となる前当待避位置との間を、前記第１回動中心周りに回動して往復移動するように構成されている。また、上当て部は、前記前当て部に位置決めされる枚葉紙の前端部が上方移動するのを規制すべく前記給紙板に接近した規制位置と、該規制位置よりも前記給紙板から離れた待受位置との間を、前記レバーの第２回動中心周りの回動に伴って前記給紙板に対して上下方向に移動することで往復移動するように構成されている。また、前記上当て部は、前記待受位置と、該待受位置よりも搬送方向下流側で且つ前記給紙板よりも下方側の上当待避位置との間を、前記前当て部の回動に伴ってリンク機構を介して前記第２回動中心周りに回動して往復移動するように構成されている。
【０００９】
このような構成の印刷機にあっては、前記第１回動中心と前記第２回動中心とがリンク機構を介して連結されているので、前記前当て部が前記第１回動中心周りに搬送方向上流側へ回動して前当待避位置から位置決め位置へ移動すると、当該回動が前記リンク機構を介して前記第２回動中心に伝わり、前記上当て部が該第２回動中心周りに搬送方向上流側へ回動して上当待避位置から待受位置へ移動する。
【００１０】
ここで、前記上当て部が前記待受位置に位置しているときには、該上当て部は、前記給紙板から離れて位置しているため、上当て部と前記給紙板との間の隙間は広くなっている。このため、その前端部が該給紙板に沿った状態の枚葉紙が前記給紙板上を搬送される場合だけでなく、例えば、当該前端部が上方移動した状態の枚葉紙が前記給紙板上を搬送される場合であっても、給紙板と上当て部との間の隙間への前記枚葉紙の前端部の進入が許容される。
【００１１】
そして、前記給紙板と前記上当て部との間の隙間に枚葉紙が進入すると、前記レバーが前記第１回動中心周りに回動して前記第２回動中心が前記給紙板から下方に移動する（離れる）ことによって、前記上当て部が前記待受位置から下方に移動して前記給紙板に接近して前記位置決め位置へと移動し、当該枚葉紙の前端部の上方移動を規制する。例えば、その前端部がカールした枚葉紙が上当て部と給紙板との間の隙間へ進入した場合には、前記上当て部は、前記待受位置から前記位置決め位置へ移動して当該前端部が前記給紙板に沿うように該前端部を押さえ、枚葉紙のカールを除去する。
【特許文献１】実用新案登録第２５８５９９６号公報
【特許文献２】実公平２−３８７５号公報
【発明の開示】
【発明が解決しようとする課題】
【００１２】
しかしながら、上記従来の印刷機のうち、上当て部の回動中心である第２回動中心が前当て部に配置される構成の印刷機にあっては、上当て部が待受位置から規制位置へ移動する際に、前記第２回動中心周りに搬送方向上流側に回動するように構成されているので、上当て部は、前記前当て部に位置決めされる枚葉紙に対して搬送方向下流側から上流側へ向けて接近することとなる。そうすると、上当て部は、その前端部が上方移動して前記給紙板から浮き上がっている枚葉紙の当該前端部を搬送方向上流側に押し戻すような方向に押えることとなる。そうすると、当該枚葉紙は、その搬送方向上流側に押し戻されてその前端が前当て部に当接せずに離間し、位置ずれした状態となる場合がある。
【００１３】
一方、前当て部の回動中心である第１回動中心と上当て部の回動中心である第２回動中心とが第１回動中心周りに回動自在なレバーによって連結されている構成の印刷機にあっては、上当て部が待受位置から規制位置へ移動する際には、前記レバーが前記第１回動中心周りに回動することによって、前記上当て部が前記給紙板に対して下方に移動するように構成されているので、上当て部は、前記前当て部に位置決めされる枚葉紙に対してその厚み方向に沿って接近することとなる。そうすると、その前端部が上方移動した枚葉紙が前当て部にて位置決めされる際にその位置決め位置がずれた状態となっても、上当て部は当該前端部の上方移動を規制するのみであるため、当該枚葉紙は位置ずれしたままとなる場合がある。
【００１４】
このように、前当て部で位置決めされる枚葉紙が位置ずれした状態であると、そのままの状態で枚葉紙が搬送方向下流側へ給紙されて印刷位置がずれてしまい印刷不良となったり、或いは、当該枚葉紙を搬送方向下流側へ給紙できずに給紙不良となったりする虞がある。
【００１５】
そこで、本発明は、上記従来の問題に鑑みてなされ、前当て部に位置決めされる枚葉紙の前端部の上方移動を規制しつつ当該枚葉紙を前当て部にて確実に位置決めすることで、印刷不良や給紙不良などの不具合を抑制することができる印刷機を提供することを課題とする。
【課題を解決するための手段】
【００１６】
本発明は、上記課題を解決すべくなされたものであり、本発明に係る印刷機は、給紙板上を搬送される枚葉紙の前端に当接して該枚葉紙を位置決めする前当て部と、該前当て部に位置決めされる枚葉紙の前端部上方に位置して当該枚葉紙の前端部の上方移動を規制する上当て部とを備え、該上当て部は、前記枚葉紙の前端部の上方移動を規制すべく前記給紙板に接近した規制位置と、該規制位置よりも前記給紙板から離れた待受位置とを移動可能に構成されており、前記待受位置から前記規制位置へ移動する際に、搬送方向下流側且つ下方側へ移動するように構成されていることを特徴とする。
【００１７】
該構成の印刷機にあっては、前記上当て部が前記待受位置に位置しているときには、上当て部は前記給紙板から離れた位置となっており、上当て部と給紙板との間の隙間が広くなっている。よって、その前端部が前記給紙板上に沿った状態で枚葉紙が搬送される場合だけでなく、例えば当該前端部がカールした状態の枚葉紙が前記給紙板上を搬送される場合などのように、枚葉紙の前端部が上方移動している場合であっても、給紙板と上当て部との間の隙間への前記枚葉紙の前端部の進入が許容される。
【００１８】
一方、前記上当て部が前記規制位置に位置しているときには、上当て部は、前記給紙板に接近した位置となっているので、前記前当て部に位置決めされる枚葉紙の前端部の上方移動を規制する。例えば、前当て部に位置決めされる枚葉紙の前端部がカールしている場合には、位置決め位置に位置する上当て部は、当該カール部分（前端部）を給紙板上に沿うように押さえる。尚、枚葉紙の前端部の上方移動とは、枚葉紙の前端部がカールした状態で前当て部に位置決めされる場合や、枚葉紙の前端が前当て部に当接した際にその前端部が上方に浮き上がる場合などのように、前当て部に位置決めされる枚葉紙の前端部が給紙板から離間して上方へ浮き上がることをいう。また、上当て部の規制とは、枚葉紙の前端部を押さえ込んで給紙板との間で当該前端部を狭持するというものではなく、給紙板上から浮き上がっている枚葉紙の前端部の当該浮き上がりを抑制する程度に当該前端部を押えることを意味する。
【００１９】
ここで、上当て部が待受位置から規制位置へ移動する際には、上当て部は、搬送方向下流側且つ下方側に移動するので、前記給紙板に対して搬送方向下流側に後退しつつ徐々に接近することとなる。つまり、前記前当て部に位置決めされる枚葉紙に対して搬送方向上流側から下流側へ移動しつつ接近することとなる。よって、前当て部に位置決めされる枚葉紙の前端部が上方移動している場合には、上当て部は、当該上方移動している部分、即ち給紙板から浮き上がっている部分を搬送方向下流側に引き込むような方向に押えることとなる。即ち、上当て部は、枚葉紙の前端部の前記浮き上がりを押さえつつ、更に当該枚葉紙を搬送方向下流側へ移動させようとする。そうすると、枚葉紙の前端部は、前記給紙板上に沿ってほぼ平面状になると共にその前端が前当て部に当接する。
【００２０】
特に、前記前当て部は、前記枚葉紙を位置決めすべく前記給紙板から上方へ突出した位置決め位置と、前記給紙板よりも下方側に位置する前当待避位置との間を往復移動するように構成されており、前記上当て部は、前記前当て部が前記位置決め位置に位置した状態で、前記待受位置から前記規制位置へ移動することが好ましい。
【００２１】
このような構成であると、前記上当て部が待受位置から規制位置へ移動する際には、前記前当て部は、前記給紙板から上方へ突出した位置決め位置に位置した状態となっているので、枚葉紙の前端部の前記浮き上がりを押さえつつ当該枚葉紙を搬送方向下流側へ移動させて当該枚葉紙の前端を確実に前当て部に当接させることができ、該枚葉紙の位置決めを正確且つ確実に行うことができる。
【００２２】
また、前記上当て部は、その回動中心が前記給紙板の下方側に配置されて搬送方向に回動自在に構成されており、前記前当て部は、その回動中心が前記給紙板の下方側で且つ前記上当て部の回動中心よりも搬送方向上流側に配置されて搬送方向に回動自在に構成されており、前記上当て部の回動は、前記待受位置と、該待受位置よりも搬送方向下流側で且つ前記給紙板よりも下方側に位置する上当待避位置との間を往復移動し、前記待受位置から前記上当待避位置へ移動する途中で前記規制位置となる回動であり、前記前当て部の回動は、前記枚葉紙を位置決めすべく前記給紙板から上方へ突出した位置決め位置と、該位置決め位置よりも搬送方向下流側で且つ前記給紙板よりも下方側に位置する前当待避位置との間を往復移動する回動であり、前記上当て部は、前記前当て部が前当待避位置から位置決め位置へ回動すると共に上当待避位置から待受位置へ回動し、前記前当て部が位置決め位置に位置した状態で待受位置から規制位置へ回動し、前記前当て部が位置決め位置から前当待避位置へ回動すると共に規制位置から上当待避位置へと回動するように構成されていることが好ましい。
【００２３】
このように、上当て部と前当て部とを別々の回動中心周りに回動するように構成し、尚且つ、上当て部の回動と前当て部の回動とを各々独立して行うことにより、各々の回動中心を固定して設定することができ、上当て部の各位置及び前当て部の各位置のそれぞれの位置精度を向上させることができる。また、印刷機の構造を簡素化することができる。更に、上当て部と前当て部との双方を回動動作のみで駆動することで、高速化に対応することができる。
【００２４】
更に、上当て部は、その回動中心が給紙板の下方側に配置され、その回動が前記待受位置と該待受位置よりも搬送方向下流側で且つ給紙板よりも下方側に位置する上当待避位置との間を往復移動し、且つ、前記待受位置から前記上当待避位置へ移動する途中で規制位置となるように構成されているので、上当て部の待受位置から規制位置への移動の軌跡は、搬送方向上流側から下流側へ向けて徐々に下降する円弧状の軌跡となる。従って、上当て部は、前当て部に位置決めされる枚葉紙に対して搬送方向上流側から下流側へ向けて略斜め下方に移動しつつ接近し、当該枚葉紙の前端部の給紙板からの浮き上がり（上方移動）を徐々に押さえつつ、当該枚葉紙を搬送方向下流側へ移動させようとすることができる。
【００２５】
更に、前記前当て部を回動させるための前当カムと前記上当て部を回動させるための上当カムとが１つの軸線上に並設され、これら両カムを前記軸線周りに一体的に回転させることにより、前記前当て部と前記上当て部とを連動させながら各々の回動動作を独立して駆動制御するように構成されていることが好ましい。
【００２６】
このように、双方のカムを一体的に回転させて上当て部と前当て部とを回動させることにより、上当て部の回動動作のタイミングと前当て部の回動動作のタイミングとを容易に合わせることができる。尚、上当て部と前当て部とは、例えば、扇形の板カムを揺動させたり直進カムを往復スライドさせたりすることによっても回動させることができる。しかし、回転させて使用するカムを用いることにより、当該カムを容易に高速回転させることができるので、高速化に非常に適している。
【発明の効果】
【００２７】
このように、本発明にかかる印刷機にあっては、上当て部が待受位置から規制位置へ移動する際に、搬送方向下流側且つ下方側へ移動するように構成されているので、前当て部に位置決めされる枚葉紙の前端部が上方移動している場合であっても、上当て部は、当該枚葉紙の前端部を搬送方向下流側に引き込むような方向に押えて、当該前端部を給紙板上に沿ってほぼ平面状にすると共にその前端を前当て部に当接させることができて当該枚葉紙の前端部の上方移動を規制しつつ当該枚葉紙を前当て部にて確実に位置決めすることができる結果、印刷不良や給紙不良などの不具合を抑制することができるという効果を奏する。
【発明を実施するための最良の形態】
【００２８】
以下、本発明に係る印刷機の一実施形態について図面を参酌しつつ説明する。尚、図５は、前当て部３が前当待避位置Ｆ２に位置し、上当て部４が上当待避位置Ｕ３に位置している様子を示す概略図であり、図６は、前当て部３が前当待避位置Ｆ２と位置決め位置Ｆ１との間を移動し、上当て部４が上当待避位置Ｕ３と待受位置Ｕ２との間を移動する途中の様子を示す概略図であり、図７は、前当て部３が位置決め位置Ｆ１に位置し、上当て部４が待受位置Ｕ２に位置している様子を示す概略図である。
【００２９】
図１に、本実施形態における印刷機の給紙部１が示されている。該給紙部１は、図示しない昇降テーブルから順次送り出される枚葉紙Ｐを下流側に搬送するフィーダボードと、該フィーダボードの下流側に設けられその上を枚葉紙Ｐが搬送される口板２と、該口板２上を搬送される枚葉紙Ｐの前端に当接して該枚葉紙Ｐを位置決めする前当て部３と、該前当て部３にて位置決めされる枚葉紙Ｐの前端部の上方移動を規制する上当て部４と、前記前当て部３にて位置決めされると共に前記上当て部４にてその前端部の上方移動が規制される枚葉紙Ｐの前端部を摘んで、該枚葉紙Ｐを印刷部の給紙胴Ｄに給紙するスウィング爪５とを備える。尚、本実施形態では、フィーダボードと口板２とで給紙板を形成している。
【００３０】
該給紙部１は、一枚ずつ送り出される枚葉紙Ｐをフィーダボード上と口板２上とを介して下流側へ搬送（搬送方向Ｘ）し、給紙板の下流端部としての口板２の下流端部において、前当て部３によって枚葉紙Ｐの姿勢を整えて位置決めすると共にその前端部が上方移動しないように上当て部４によって規制し、スウィング爪５に設けられたグリッパ５１によって前記枚葉紙Ｐの前端部を咥えて該枚葉紙Ｐを給紙胴Ｄへ受け渡すことによって、枚葉紙Ｐを一枚ずつ印刷部へ給紙するように構成されている。
【００３１】
フィーダボード（図示しない）は、昇降テーブルから一枚ずつ下流側に送り出された枚葉紙Ｐをその上面に載せて下流側に搬送するものであり、その上面が下流側ほど下方に傾斜するように形成されている。
【００３２】
口板２は、枚葉紙Ｐをその上面である搬送面２１上に載せて搬送方向下流側に搬送するものである。この口板２は、印刷機の左右両フレーム間に亘る横長の板状体であり、その上面（搬送面２１）が下流側ほど下方に傾斜するように構成されている。この搬送面２１とフィーダボードの上面とは、ほぼ同じ傾斜角度であり、ほぼ面一となるように配置されている。尚、本実施形態では、前記搬送面２１の上流側端部は、上流側ほど下方に傾斜しており、下流側端部は、下流側ほど下方に傾斜している。即ち、搬送面２１は、搬送方向下流側ほど下方に傾斜するように設けられる搬送主面２１１と、該搬送主面２１１の下流側に連続し且つ搬送主面２１１の傾斜よりも大きな傾斜となるように下流側ほど傾斜した搬送下流面２１２と、前記搬送主面２１１の上流側に連続し且つ搬送主面２１１の傾斜とは反対の傾斜となるように傾斜した搬送上流面２１３とを備えてなる。
【００３３】
前当て部３は、給紙板上を搬送される枚葉紙Ｐの前端に当接して該枚葉紙Ｐを位置決めするものであり、前記枚葉紙Ｐを位置決めすべく給紙板から上方へ突出した位置決め位置Ｆ１と、給紙板よりも下方側に位置する前当待避位置Ｆ２との間を往復移動するように構成されている。具体的には、図２に示すように、前当て部３は、口板２の下流側に配置されており、口板２の上流端部の下方に配置される回動中心（以下、前当回動中心Ｃ１という）周りに搬送方向に回動自在となるように構成されている。そして、前当て部３は、搬送面２１よりも上方側となる位置決め位置Ｆ１と該位置決め位置Ｆ１よりも搬送方向下流側で且つ搬送面２１よりも下方側となる前当待避位置Ｆ２との間を回動して往復移動するように構成されている。
【００３４】
より詳細に説明すると、前当て部３は、その先端部６１が基端部６２よりも搬送方向下流側となるように形成された前当アーム６の先端部６１に形成されている。この前当アーム６は、上下に長い板状体を、上端部である先端部６１が下端部である基端部６２よりも下流側となるように、その上下方向中途部分で屈曲して形成されており、該先端部６１が上方へ向けて鉤状に延設されることによって前当て部３が形成されている。
【００３５】
前当て部３は、図４に示すように、上方へ突出する左右一対の突片３１と、該一対の突片３１の間に亘る連結片３２とが一体的に形成されて構成されている。かかる突片３１の搬送方向上流側の面と連結片３２の搬送方向上流側の面とは、面一であって前当て部３の当接面３３となっている。この当接面３３に、搬送される枚葉紙Ｐの前端が当接することによって、該枚葉紙Ｐはその姿勢が整えられる。
【００３６】
本実施形態では、前当て部３は、複数種類準備されており、例えば一対の突片３１のうちの何れか一方と、該突片３１に連続する連結片３２とで構成されるものが準備されている。また、連結片３２を設けずに前当て部３を形成することも可能である。
【００３７】
このように、その先端部６１に前当て部３が形成されている前当アーム６は、その先端部６１が基端部６２よりも搬送方向下流側且つ上方側となる向きで、その軸線Ｃ１周りに回転自在な前当軸７に基端部６２が固定されている。この前当軸７は、印刷機の左右方向に延びる軸であり、口板２の上流側端部の下方側に配置されて軸線Ｃ１周りに回転可能となるように両端部が印刷機の左右両フレームにそれぞれ接続されている。
【００３８】
また、前当アーム６は、前当軸７の軸線Ｃ１に沿って複数配置されており、それぞれが同じ向きとなるように、各前当アーム６の基端部６２が前当軸７に固定されている。即ち、前当て部３は、搬送方向Ｘに直交する方向（左右方向）に複数並べて設けられており、各前当て部３の前当回動中心Ｃ１は、前記左右方向に延びる直線上に並んでいる。本実施形態では、図４に示すように、一対の突片３１を備える前当て部３が前当軸７の軸線Ｃ１方向略中央領域に４個配設され、その左右両領域に、左右両端部のうち何れか一方の突片３１を備える前当て部３がそれぞれ３個ずつ配設されており、従って合計で１０個設けられている。尚、前当て部３は、１０個以上、１０個以下、或いは単数配設する場合でもよい。
【００３９】
このように、前当アーム６は、その軸線Ｃ１周りに回転する前当軸７に取付固定されているので、前当て部３は、前当軸７の軸線Ｃ１を中心に搬送方向へ回動可能となる。具体的には、前当軸７に固定されている全ての前当て部３は、前当軸７の回転に伴って同時に且つ同じ軌道で回動する。例えば、前当軸７が下流側（図２においては反時計回り）へ回転すると、全ての前当て部３が下流側に回動し、前当軸７が上流側（図２においては時計回り）へ回転すると、全ての前当て部３が上流側に回動する。即ち、前当軸７の軸線Ｃ１は、前当て部３の前当回動中心Ｃ１となっている。
【００４０】
かかる前当て部３の回動は、その軸線Ｃ２周りに回転駆動するカム軸８に固定されている前当カム９の回転が、前当伝達手段１０を介して伝達されることによってなされる。具体的には、カム軸８は、印刷機の左右方向に延びる駆動軸であり、口板２よりも下方側且つ上流側に配置されている。本実施形態では、カム軸８の軸線Ｃ２は、前当軸７の軸線Ｃ１よりも上流側且つ下方側に配置されている。このカム軸８は、図示しない駆動源にてその軸線Ｃ２周りに回転駆動するように構成されており、その両端部が印刷機の左右両フレームにそれぞれ接続されている。
【００４１】
前当カム９は、円板状の所謂平面カムであり、前当待避対応部９１と位置決対応部９２でその周面形状が形成されている。具体的には、前当カム９は、その径方向に延設された延設部が１ヶ所形成されたカムであり、この延設部が位置決対応部９２となっている。つまり、前当カム９は、前当待避対応部９１を基準として、位置決対応部９２が径方向外側に延設して構成されている。従って、前当カム９の中心から周面までの距離（前当カム９の半径）は、位置決対応部９２において前当待避対応部９１よりも長くなっている。このような前当カム９は、そのカム中心がカム軸８の軸線Ｃ２と一致し、且つ、カム軸８と共に回転するようにカム軸８に固定されている。
【００４２】
前当伝達手段１０は、前当カム９の回転に追随して作動することによって、前当軸７に回転力を伝達するもので、前記前当軸７に設けられる前当軸アーム１０１と、前当カム９の形状に追随して揺動する回転伝達部１０２と、前当軸アーム１０１及び回転伝達部１０２を連結する前当リンク１０３とで形成される前当用リンク機構である。前当軸アーム１０１は、前当軸７から搬送方向上流側に突出するように設けられており、前当軸７と共に回転するように前当軸７に固定されている。前当リンク１０３は、上下方向に沿って形成されるリンクであり、その一端部（上端部）は、前当軸アーム１０１の上流側端部に回動自在に連結され、他端部（下端部）は、回転伝達部１０２に回動自在に連結されている。
【００４３】
回転伝達部１０２は、回動可能に設けられる基部１０２１から、下流側へ向けて突設されるリンクアーム１０２２と、上方へ向けて突設されるカムアーム１０２３と、下方へ向けて突設される付勢アーム１０２４とを備え、各アームが交差して一体的に形成されている。この回転伝達部１０２は、カム軸８の下方側にて搬送方向に回動可能に設けられている。具体的には、回転伝達部１０２は、その回動中心（以下、伝達回動中心Ｃ３という）が基部１０２１に設定されるように設けられており、該伝達回動中心Ｃ３周りに搬送方向に回動するように構成されている。尚、回転伝達部１０２の伝達回動中心Ｃ３は、カム軸８の軸線Ｃ２よりも下方側且つ下流側に配置されており、また、前当て部３の前当回動中心Ｃ１よりも下方側且つ上流側に配置されている。
【００４４】
リンクアーム１０２２には、その下流側端部に前当リンク１０３の他端部が連結されている。つまり、前当リンク１０３は、前記前当軸アーム１０１とリンクアーム１０２２とを連結している。カムアーム１０２３には、その上端部にカムフォロアＣＦが設けられており、該カムフォロアＣＦの周面が前当カム９の周面に当接するようになっている。付勢アーム１０２４の下端部には、該付勢アーム１０２４を下流側に付勢する付勢手段１１としてのバネが連結されている。従って、回転伝達部１０２は、付勢アーム１０２４がバネによって下流側へ付勢されているため、回転伝達部１０２の伝達回動中心Ｃ３周りにカムアーム１０２３が上流側へ付勢されており、これによって、カムアーム１０２３に設けられているカムフォロアＣＦの周面が前当カム９の周面に押付けられる。従って、回転伝達部１０２は、前当カム９の回転に追随して搬送方向に揺動する。
【００４５】
このように、前当て部３は、前記カム軸８に設けられている前当カム９に前当伝達手段１０としての前当用リンク機構を介して連結されているので、前当カム９の前当待避対応部９１から位置決対応部９２への回転に追随して前当待避位置Ｆ２から位置決め位置Ｆ１へ移動し、前当カム９の位置決対応部９２から前当待避対応部９１への回転に追随して位置決め位置Ｆ１から前当待避位置Ｆ２へ移動する。
【００４６】
具体的には、カムフォロアＣＦが前当カム９の前当待避対応部９１と当接している状態では、前当て部３は前当待避位置Ｆ２に位置している。このとき、前当て部３は、口板２の搬送面２１よりも下側に位置している（図５参照）。つまり、前当て部３は、前当待避位置Ｆ２においては搬送面２１から上方へは突出していない。
【００４７】
そして、カム軸８の回転駆動によって前当カム９が回転して前当カム９とカムフォロアＣＦとの当接が前当待避対応部９１から位置決対応部９２へ切り替わると、カムアーム１０２３が下流側へ回動すると共にリンクアーム１０２２が下方側へ回動し、前当リンク１０３が下方へ移動する。そうすると、前当軸アーム１０１が下方側へ回動し、前当軸７が上流側（図２において時計回り）へ回転する結果、前当て部３は、前当待避位置Ｆ２から搬送方向上流側へ回動して位置決め位置Ｆ１へ移動する（図７参照）。
【００４８】
このとき、前記前当て部３は、口板２の搬送面２１から突出した状態となる。具体的には、前当て部３が位置決め位置Ｆ１に位置しているときには、枚葉紙Ｐの前端が当接する前当て部３の当接面３３が、搬送面２１の搬送下流面２１２よりも若干上流側の位置で搬送主面２１１に対し略垂直となるように搬送面２１から上方へ突出している。
【００４９】
そして、カムフォロアＣＦが位置決対応部９２と当接している状態では、前当て部３は位置決め位置Ｆ１に位置している。そして、前当カム９とカムフォロアＣＦとの当接が位置決対応部９２から前当待避対応部９１へ切り替わると、カムアーム１０２３が上流側へ回動すると共にリンクアーム１０２２が上方側へ回動し、前当リンク１０３が上方へ移動する。そうすると、前当軸アーム１０１が上方側へ回動し、前当軸７が下流側（図２において反時計回り）へ回転する結果、前当て部３は、位置決め位置Ｆ１から搬送方向下流側へ回動して前当待避位置Ｆ２へ移動する（図５参照）。このように、前当て部３は、一方向へ回転する前当カム９に追随して動作する前当伝達手段１０を介して、搬送方向上流側及び下流側に往復回動するように構成されているので、前当カム９を高速回転させるだけで高速化に簡単に対応することができる。
【００５０】
上当て部４は、前当て部３に位置決めされる枚葉紙Ｐの前端部上方に位置して、該枚葉紙Ｐの前端部の上方移動を規制するものであり、枚葉紙Ｐの前端部の上方移動を規制すべく給紙板に接近した規制位置Ｕ１と、該規制位置Ｕ１よりも給紙板から上方へ離れた待受位置Ｕ２と、給紙板よりも下方側に位置する上当待避位置Ｕ３との間を移動可能に構成されている。
【００５１】
具体的には、図３に示すように、上当て部４は、口板２の下流側に配置されており、口板２の下流端部よりも上流側且つ下方側（本実施形態では、口板２の搬送方向略中央部の下方側）に配置される回動中心（以下、上当回動中心Ｃ４という）周りに搬送方向に回動可能に構成されている。
【００５２】
つまり、上当て部４は、前記上当回動中心Ｃ４周りの回動の軌道上で待受位置Ｕ２と規制位置Ｕ１と上当待避位置Ｕ３となり、その回動軌道の搬送方向上流側端部位置が待受位置Ｕ２で、下流側端部位置が上当待避位置Ｕ３となっている。具体的には、上当て部４は、待受位置Ｕ２と上当待避位置Ｕ３との間を回動して往復移動し、待受位置Ｕ２から上当待避位置Ｕ３へ移動する途中で規制位置Ｕ１となるように構成されている。即ち、上当て部４は、口板２の下方側である上当待避位置Ｕ３から上当回動中心Ｃ４周りに搬送方向上流側へ回動して口板２に対し上方へ所定距離離間した待受位置Ｕ２へと移動し、該待受位置Ｕ２から上当回動中心Ｃ４周りに搬送方向下流側へ回動して待受位置Ｕ２よりも口板２に接近した規制位置Ｕ１へ移動し、更に、そのまま搬送方向下流側へ回動して上当待避位置Ｕ３へと移動するように構成されている。
【００５３】
より詳細に説明すると、上当て部４は、図３に示すように、その先端部１２１が基端部１２２よりも搬送方向下流側となるように形成された上当アーム１２の先端部１２１に形成されている。この上当アーム１２は、上下に長い板状体の下端部である基端部１２２を搬送方向上流側へ屈曲し、上端部である先端部１２１を搬送方向下流側へ屈曲して形成されており、該先端部１２１から搬送方向上流側へ向けて上方に折返し延設されることによって上当て部４が形成されている。
【００５４】
具体的には、上当て部４は、上当アーム１２の先端部１２１を略Ｖ字状又は略Ｕ字状となるように上流側へ折返し延設することによって形成されており、その先端（上流側）ほど上当アーム１２から離間するような向きで形成されている。また、上当て部４は、その下面が平坦な規制面４１となっており、この規制面４１にて枚葉紙Ｐの前端部の上方移動を規制するようになっている。尚、上当て部４の先端部は、上流側且つ上方側から下流側且つ下方側へ向けて延びる誘導面４２にて面取りされている。つまり、規制面４１の上流端部には、上流側ほど上方となる誘導面４２が連続している。尚、上当て部４の基端部（下流端部）には、コロ４３が搬送方向に回転自在に設けられている。
【００５５】
このように、その先端部１２１に上当て部４が形成されている上当アーム１２は、その先端部１２１が基端部１２２よりも搬送方向下流側且つ上方側となる向きで、その軸線Ｃ４周りに回転自在な上当軸１３に基端部１２２が固定されている。この上当軸１３は、印刷機の左右方向に延びる軸体であり、口板２の搬送方向略中央部の下方側に配置されて軸線Ｃ４周りに回転可能となるように両端部が印刷機の左右両フレームにそれぞれ接続されている。つまり、上当軸１３と前当軸７とは、口板２の搬送面２１の下方側に配置されており、上当軸１３が搬送方向下流側に前当軸７が搬送方向上流側となるように配置されている。本実施形態では、上当軸１３の軸線Ｃ４と前当軸７の軸線Ｃ１との双方を通る平面が口板２の搬送面２１（本実施形態では、搬送主面２１１）と平行な面となっている。尚、上当軸１３の軸線Ｃ４は、カム軸８の軸線Ｃ２よりも下流側且つ上方側に設定されている。
【００５６】
また、図４に示すように、上当アーム１２は、上当軸１３の軸線Ｃ４に沿って複数配置されており、それぞれが同じ向きとなるように、各上当アーム１２の基端部１２２が上当軸１３に固定されている。即ち、上当て部４は、搬送方向に直交する方向（左右方向）に複数並べて設けられており、各上当て部４の上当回動中心Ｃ４は、前記左右方向に延びる直線上に並んでいる。本実施形態では、上当て部４は、前当て部３の配置位置に対応して、合計で１０個設けられている。尚、上当て部４は、１０個以上、１０個以下、又は単数設ける場合でもよく、或いは、前当て部３の配置とは異なる配置としてもよい。
【００５７】
このようにして、上当て部４は、上当軸１３の軸線Ｃ４を中心に搬送方向へ回動可能となる。具体的には、上当軸１３に固定されている全ての上当て部４は、上当軸１３の回転に伴って同時に且つ同じ軌道で回動する。つまり、上当軸１３が下流側（図３においては反時計回り）へ回転すると、全ての上当て部４が下流側に回動し、上当軸１３が上流側（図３においては時計回り）へ回転すると、全ての上当て部４が上流側に回動する。即ち、上当軸１３の軸線Ｃ４は、上当て部４の上当回動中心Ｃ４となっている。尚、本実施形態においては、上当て部４の回動半径は、前当て部３の回動半径よりも小さい。
【００５８】
かかる上当て部４の回動は、その軸線Ｃ４周りに回転駆動するカム軸８に固定されている上当カム１４の回転が、上当伝達手段１５を介して伝達されることによってなされる。上当カム１４は、円板状の所謂平面カムであり、上当待避対応部１４１と待受対応部１４２と規制対応部１４３とでその周面形状が形成されている。具体的には、上当カム１４は、その径方向に延設された延設部が２ヶ所形成されたカムであり、一方の延設部が待受対応部１４２であり、他方の延設部が規制対応部１４３である。より詳細には、上当カム１４は、規制対応部１４３が上当待避対応部１４１よりも径方向外側に延設されて形成され、待受対応部１４２が規制対応部１４３よりも径方向外側に延設されて形成されることによって構成されている。
【００５９】
従って、上当カム１４のカム中心から周面までの距離（上当カム１４の半径）は、規制対応部１４３において上当待避対応部１４１よりも長くなっており、待受対応部１４２において規制対応部１４３よりも長くなっている。このような上当カム１４は、そのカム中心がカム軸８の軸線Ｃ２と一致し、且つ、カム軸８と共に回転するようにカム軸８に固定されている。
【００６０】
このように、上当て部４を回動させるための上当カム１４は、前当て部３を回動させるための前当カム９が固定されているカム軸８に固定されているので、上当カム１４と前当カム９とは、１つの軸線Ｃ２上に並べて設けられ、カム軸８の軸線Ｃ２周りに一体的に回転することとなる。
【００６１】
上当伝達手段１５は、上当カム１４の回転に追随して作動することによって、上当軸１３に回転力を伝達するもので、前記上当軸１３に設けられる上当軸アーム１５１と、上当カム１４の形状に追随して揺動する回転伝達部１０２と、上当軸アーム１５１及び回転伝達部１０２を連結する上当リンク１５２とで形成される上当用リンク機構である。尚、上当用リンク機構が備える回転伝達部１０２は、前当用リンク機構が備える回転伝達部１０２と同様の形状であるので、同じ符号を付すこととしてその説明を省略する。上当軸アーム１５１は、上当軸１３から搬送方向上流側（本実施形態では上流側且つ下方側）に突出するように設けられており、上当軸１３と共に回転するように上当軸１３に固定されている。
【００６２】
上当リンク１５２は、上下方向に沿って形成されるリンクであり、その一端部（上端部）は、上当軸アーム１５１の上流側端部に回動自在に連結され、他端部（下端部）は、回転伝達部１０２に回動自在に連結されている。具体的には、上当リンク１５２の他端部は、回転伝達部１０２のリンクアーム１０２２の下流側端部に連結されている。つまり、上当リンク１５２は、前記上当軸アーム１５１とリンクアーム１０２２とを連結している。
【００６３】
回転伝達部１０２のカムアーム１０２３の上端部に設けられているカムフォロアＣＦは、その周面が上当カム１４の周面に当接するようになっている。また、回転伝達部１０２の付勢アーム１０２４の下端部には、下流側に付勢する付勢手段１１としてのバネが連結されている。従って、回転伝達部１０２は、その付勢アーム１０２４がバネによって下流側へ付勢されるため、回転伝達部１０２の伝達回動中心Ｃ３周りにカムアーム１０２３が上流側へ付勢されており、これによって、カムアーム１０２３に設けられているカムフォロアＣＦの周面が上当カム１４の周面に押付けられる。従って、回転伝達部１０２は、上当カム１４の回転に追随して搬送方向に揺動する。
【００６４】
このように、上当て部４は、前記カム軸８に設けられている上当カム１４に上当伝達手段１５としての上当用リンク機構を介して連結されているので、上当カム１４の上当待避対応部１４１から待受対応部１４２への回転に追随して上当待避位置Ｕ３から待受位置Ｕ２へ移動し、上当カム１４の待受対応部１４２から規制対応部１４３への回転に追随して待受位置Ｕ２から規制位置Ｕ１へ移動し、更に、上当カム１４の規制対応部１４３から上当待避対応部１４１への回転に追随して、規制位置Ｕ１から上当待避位置Ｕ３へ移動する。
【００６５】
具体的には、カムフォロアＣＦが上当カム１４の上当待避対応部１４１と当接している状態では、上当て部４は上当待避位置Ｕ３に位置している（図５参照）。このとき、上当て部４は、口板２よりも下流側で且つ搬送面２１よりも下側に位置している。また、上当て部４の基端部に設けられているコロ４３も搬送面２１の下側に位置している。つまり、上当待避位置Ｕ３では、上当アーム１２全体が搬送面２１よりも下側に待避している。
【００６６】
そして、カム軸８の回転駆動によって上当カム１４が回転して上当カム１４とカムフォロアＣＦとの当接が上当待避対応部１４１から待受対応部１４２へ切り替わると、カムアーム１０２３が下流側へ回動すると共にリンクアーム１０２２が下方側へ回動し、上当リンク１５２が下方へ移動する。そうすると、上当軸アーム１５１が下方側へ回動し、上当軸１３が上流側（図３において時計回り）へ回転する結果、上当て部４は、上当待避位置Ｕ３から搬送方向上流側へ回動して待受位置Ｕ２へ移動する（図７参照）。
【００６７】
この待受位置Ｕ２では、上当て部４は、口板２の上方側に所定距離離間した位置となる。具体的には、上当アーム１２のうち、上当て部４は、その下面である規制面４１が搬送面２１の下流端部から搬送面２１の法線方向上方側（搬送面２１に垂直且つ上方）へ所定距離離間した位置に位置して、該搬送面２１との間に所定の隙間を形成し、他の部分は、口板２よりも下流側或いは搬送面２１よりも下方側に位置している。本実施形態では、上当て部４は、その規制面４１が搬送面２１の搬送下流面２１２と搬送主面２１１の下流端部とを上方から覆うような配置となっている。
【００６８】
ここで、所定の隙間とは、その前端部が上方移動している枚葉紙Ｐの当該前端部が進入することができるような隙間を意味し、搬送される枚葉紙Ｐの前端部が上方移動する高さよりも若干広くなるような隙間である。また、この隙間は、枚葉紙Ｐのコシの強さや紙厚等によって適宜設定することが可能で、例えば５ｍｍ程度と設定することができる。尚、待受位置Ｕ２では、上当て部４の下面である規制面４１は、口板２の搬送面２１（給紙板の上面）に対し上流側ほど前記隙間が狭くなるように傾斜した配置となっている。従って、規制面４１と搬送面２１との間の隙間は、搬送方向上流側が狭く下流側ほど広くなっている。
【００６９】
そして、カムフォロアＣＦが上当カム１４の待受対応部１４２に当接している状態では、上当て部４は、待受位置Ｕ２に位置した状態でその回動が停止状態となる。そして、上当カム１４とカムフォロアＣＦとの当接が待受対応部１４２から規制対応部１４３へ切り替わると、カムアーム１０２３が上流側へ回動すると共にリンクアーム１０２２が上方側へ回動し、上当リンク１５２が上方へ移動する。そうすると、上当軸アーム１５１が上方側へ回動し、上当軸１３が下流側（図３において反時計回り）へ回転する結果、上当て部４は、待受位置Ｕ２から搬送方向下流側へ回動して規制位置Ｕ１へ移動する（図８参照）。
【００７０】
即ち、上当て部４は、上流側且つ上方側の待受位置Ｕ２から下流側且つ下方側の規制位置Ｕ１へと移動する。換言すると、上当て部４は、口板２との間に形成されている前記隙間が狭くなるように、搬送方向下流側へ回動して待受位置Ｕ２から規制位置Ｕ１へ移動する。この規制位置Ｕ１においては、上当アーム１２のうち、上当て部４は、その規制面４１と搬送面２１との間の隙間が搬送される枚葉紙Ｐの紙厚に対応した隙間となるように、搬送面２１から上方側へ離間した位置となり、他の部分は、口板２よりも下流側或いは搬送面２１よりも下方側に位置している。本実施形態では、規制面４１は、搬送面２１、特に搬送主面２１１に対し略平行となる配置となっている。
【００７１】
この規制位置Ｕ１では、図９に示すように、上当て部４は、その規制面４１の先端部（上流端部）にて枚葉紙Ｐの前端部の上方移動を規制する。具体的には、搬送される枚葉紙Ｐの前端部が上方移動している場合には、上当て部４は、規制面４１が当該枚葉紙Ｐの前端部に当接しつつ口板２との間の隙間が狭くなるように回動し、当該枚葉紙Ｐの前端部が搬送面２１に沿うように規制して規制位置Ｕ１となる。従って、上当て部４は、搬送される枚葉紙Ｐの前端部を口板２との間に挟み込んで狭持するものではなく、枚葉紙Ｐの前端部が搬送面２１から上方へ浮き上がっている場合に、当該前端部が均一に搬送面２１上に載るように、当該前端部の浮き上がりを抑制するものである。
【００７２】
そして、カムフォロアＣＦが規制対応部１４３と当接している状態では、上当て部４は規制位置Ｕ１に位置してその回動が停止状態となる。そして、上当カム１４とカムフォロアＣＦとの当接が規制対応部１４３から上当待避対応部１４１へ切り替わると、カムアーム１０２３が上流側へ回動すると共にリンクアーム１０２２が上方側へ回動し、上当リンク１５２が上方へ移動する。そうすると、上当軸アーム１５１が上方側へ回動し、上当軸１３が下流側（図３において反時計回り）へ回転する結果、上当て部４は、規制位置Ｕ１から搬送方向下流側へ回動して上当待避位置Ｕ３へ移動する（図５参照）。
【００７３】
この規制位置Ｕ１から上当待避位置Ｕ３への回動の軌跡は、待受位置Ｕ２から規制位置Ｕ１への回動の軌跡の延長上となる。即ち、上当て部４は、上当回動中心Ｃ４の移動を伴わずに、前記上当回動中心Ｃ４周りの回動動作のみによって上当待避位置Ｕ３と待受位置Ｕ２と規制位置Ｕ１とを移動するものであり、上当回動中心Ｃ４周りに上当待避位置Ｕ３から待受位置Ｕ２へ回動し、その回動軌道を戻るように回動して待受位置Ｕ２から上当待避位置Ｕ３へ向かい、その途中で規制位置Ｕ１となるように構成されている。
【００７４】
また、上当て部４は、一方向へ回転する上当カム１４に追随して動作する上当伝達手段１５を介して、搬送方向上流側及び下流側に往復回動するように構成されているので、上当カム１４を高速回転させるだけで高速化に簡単に対応することができる。
【００７５】
前記給紙胴Ｄに枚葉紙Ｐを給紙すべくその前端部を咥えるグリッパ５１を備えるスウィング爪５は、図１に示すように、口板２と給紙胴Ｄとの間に設けられている。スウィング爪５は、枚葉紙Ｐの前端部を咥える咥え位置と咥えた枚葉紙Ｐを給紙胴Ｄに受け渡す渡し位置とを移動可能に構成されている。具体的には、スウィング爪５は、搬送方向に回動可能に設けられて上流側の咥え位置と下流側の渡し位置との間で揺動するように構成されており、咥え位置ではその先端部に設けられているグリッパ５１が口板２の下流端部付近に接近し、渡し位置では前記グリッパ５１が給紙胴Ｄ付近に接近するように揺動する。
【００７６】
スウィング爪５は、その回動中心（以下、爪回動中心Ｃ５という）が口板２の下方側に設定されており、前当て部３の前当回動中心Ｃ１と上当て部４の上当回動中心Ｃ４との双方よりも搬送面２１の面方向下流側且つ法線方向下側に設定されている。具体的には、スウィング爪５の爪回動中心Ｃ５は、口板２の下流端から搬送面２１に垂直な方向且つ左右方向に形成される平面上に設定されている。従って、咥え位置に位置しているときのグリッパ５１と爪回動中心Ｃ５とを通る直線は、搬送面２１に対して略垂直となる。また、スウィング爪５の回動半径は、前当て部３及び上当て部４の双方の回動半径よりも大きくなっている。尚、スウィング爪５の爪回動中心Ｃ５は、カム軸８の軸線Ｃ２よりも下方側且つ下流側に設定されている。
【００７７】
続いて、上記のような構成の印刷機における給紙動作について説明する。
枚葉紙Ｐがフィーダボード上及び口板２上を搬送されると、前当て部３は位置決め位置Ｆ１に、上当て部４は待受位置Ｕ２にそれぞれ移動する。具体的には、前当カム９の回転によってカムフォロアＣＦと前当カム９との当接が前当待避対応部９１から位置決対応部９２へ切り替わることによって、前当て部３は前当待避位置Ｆ２から位置決め位置Ｆ１へ回動し、上当カム１４の回転によってカムフォロアＣＦと上当カム１４との当接が上当待避対応部１４１から待受対応部１４２へ切り替わることによって、上当て部４は上当待避位置Ｕ３から待受位置Ｕ２へ回動する（図５に示す状態から、図６に示す状態を経て、図７に示す状態となる）。
【００７８】
これにより、図７に示すように、前当て部３は搬送面２１の下流端部から上方へ突出した状態となり、上当て部４は口板２の下流端部との間の隙間を広くした状態となって、搬送される枚葉紙Ｐの前端部が該隙間に進入するのを待ち受ける。本実施形態では、上当て部４は、前当て部３の連結片３２の上方側に位置し、そこから上流側に突出した状態となっている。即ち、前当て部３が位置決め位置Ｆ１に、上当て部４が待受位置Ｕ２にそれぞれ位置する状態においては、搬送面２１の下流端部から搬送面２１の法線方向上方側へ向けて当接面３３が突出し、該当接面３３の先端領域から上流側へ向けて上当て部４の規制面４１が突出している。換言すると、規制面４１は、搬送面２１の下流端部との間に所定の隙間を形成するように該搬送面２１の下流端部に対向しており、当接面３３は、該隙間の下流側を閉塞するように規制面４１と搬送面２１との間に跨っている。そして、これらの面で囲まれる領域内に搬送される枚葉紙Ｐの前端部が進入するようになっている。
【００７９】
このように、上当て部４と口板２との間の隙間を大きくして搬送されてきた枚葉紙Ｐの進入が許容された状態で枚葉紙Ｐが搬送されるのを待受けるので、仮に、搬送される枚葉紙Ｐの前端部が上方移動（例えば、カール）した状態であっても、枚葉紙Ｐは上当て部４と口板２との間の隙間に確実に進入することとなる。また、上当て部４の先端部には、誘導面４２が形成されているので、仮に、上方移動した前端部が誘導面４２に当接しても、該前端部を前記隙間側に誘導することができる。尚、枚葉紙Ｐを待ち受けている状態では、スウィング爪５は渡し位置に位置している。
【００８０】
そして、枚葉紙Ｐが前記隙間へ進入すると、上当て部４は、待受位置Ｕ２から規制位置Ｕ１へと移動する。尚、前当て部３は、位置決め位置Ｆ１に位置したままである。具体的には、上当カム１４の回転によってカムフォロアＣＦと上当カム１４との当接が待受対応部１４２から規制対応部１４３へ切り替わり、これによって、上当て部４は待受位置Ｕ２から規制位置Ｕ１へ回動する（図７に示す状態から、図８に示す状態となる。）。一方で、カムフォロアＣＦと前当カム９との当接は、位置決対応部９２のままである。
【００８１】
つまり、図８及び９に示すように、前当て部３が搬送面２１の下流端部から上方へ突出した状態のままで、上当て部４は、口板２の下流端部との間の隙間が狭くなるように移動して、口板２との間の隙間に進入した枚葉紙Ｐの前端部が上方移動するのを規制する。本実施形態では、上当て部４は、搬送面２１の下流端部から上方へ突出した状態の前当て部３の突片３１の上下方向略中途部分から、上流側へ向けてその先端部（上流端部）のみが突出している。即ち、規制面４１の先端部と誘導面４２とが当接面３３から上流側へ突出している。そして、規制面４１と搬送面２１との間の隙間は、規制される枚葉紙Ｐの紙厚に対応して狭くなっている。また、規制面４１と搬送面２１の搬送主面２１１とは略平行になっている。
【００８２】
ここで、上当て部４が待受位置Ｕ２から規制位置Ｕ１へ移動する際には、上当て部４は、搬送方向下流側且つ下方側へ回動する。換言すると、搬送面２１との間の隙間を狭くしつつ、位置決め位置Ｆ１に位置している前当て部３からの突出量が少なくなるように前当て部３に対して後退するように移動する。そうすると、前当て部３に位置決めされる枚葉紙Ｐの前端部が上方移動している場合には、上当て部４は、当該上方移動して搬送面２１から浮き上がっている枚葉紙Ｐの前端部が搬送面２１に沿うように、その浮き上がりを抑制しつつ、更に、当該枚葉紙Ｐを下流側に引き寄せてその前端を前当て部３の当接面３３に確実に当接させることとなる。
【００８３】
そして、枚葉紙Ｐが前当て部３と上当て部４とによって姿勢が整えられると、その状態でスウィング爪５が渡し位置から咥え位置へと回動して枚葉紙Ｐの前端部をグリッパ５１にて咥える。具体的には、前当て部３が位置決め位置Ｆ１に、上当て部４が規制位置Ｕ１にそれぞれ位置した状態で、スウィング爪５は、その先端部（グリッパ５１）が口板２から下流側に離間した渡し位置から、上流側に回動して、その先端部（グリッパ５１）が口板２の下流側端部に接近した咥え位置へと移動し、枚葉紙Ｐの前端部を咥える。ここで、枚葉紙Ｐは、上述のように前当て部３と上当て部４とによって正確に位置決め保持されているので、グリッパ５１にて確実に枚葉紙Ｐの前端部を咥えることができる。
【００８４】
そして、枚葉紙Ｐがスウィング爪５にて咥えられると、前当て部３が位置決め位置Ｆ１から前当待避位置Ｆ２へ移動し、同時に、上当て部４が規制位置Ｕ１から上当待避位置Ｕ３へと移動する（図８に示す状態から、図６に示す状態を経て、図５に示す状態となる）。即ち、上当て部４と前当て部３との双方が搬送面２１よりも下方側に待避した状態となる。
【００８５】
そして、上当て部４と前当て部３との双方が枚葉紙Ｐの搬送経路（搬送面２１）から待避すると、枚葉紙Ｐの前端部を咥えたスウィング爪５は、咥え位置から下流側へ回動して渡し位置へ移動し、枚葉紙Ｐを給紙胴Ｄへ受け渡す。ここで、前当て部３と上当て部４とは、同時に搬送経路から待避するので、枚葉紙Ｐの印刷部（給紙胴Ｄ）へ円滑な給紙が可能となる。尚、上当て部４の基端部にはコロ４３が設けられているので、スウィング爪５にて枚葉紙Ｐを給紙胴Ｄに受け渡す際に枚葉紙Ｐの後端部が下方に垂れ下がってコロ４３に当接しても、コロ４３が回転するので枚葉紙Ｐに傷が付くのを防止することができる。
【００８６】
以上のような構成の印刷機にあっては、上当て部４が待受位置Ｕ２から規制位置Ｕ１へ移動する際に、搬送方向下流側且つ下方側へ回動して移動するように構成されているので、前当て部３に位置決めされる枚葉紙Ｐの前端部が上方移動している場合には、上当て部４は、その規制面４１と搬送面２１との間の隙間を狭くして当該枚葉紙Ｐの前端部が搬送面２１に沿うように、その前端部の浮き上がりを抑制しつつ、更に、当該枚葉紙Ｐを搬送方向下流側に引き込んでその前端を前当て部３の当接面３３に当接させることができ、当該枚葉紙Ｐの前端部の上方移動を除去（規制）すると共に当該枚葉紙Ｐの姿勢を前当て部３にて正確に整えて位置決めすることができる。従って、印刷不良や給紙不良などの不具合を抑制することができる。
【００８７】
また、上当カム１４の回転を利用して上当て部４を上当回動中心Ｃ４周りに回動させ、前当カム９の回転を利用して前当て部３を前当回動中心Ｃ１周りに回動させることによって、上当て部４の回動動作と前当て部３の回動動作とが互いに影響し合うことなく独立した回動動作となる。従って、前当て部３及び上当て部４の各位置のそれぞれの位置精度を向上させることができる。また、修理やメンテナンス時の調整が容易となる。
【００８８】
更に、上当カム１４と前当カム９とを一つの軸体であるカム軸８の軸線Ｃ２方向に並べて該カム軸８に固定し、上当カム１４と前当カム９との双方をカム軸８の軸線Ｃ２周りに一体的に回転させるように構成しているので、上当て部４の回動動作と前当て部３の回動動作との独立性を保ちつつ、各回動動作間のタイミングを容易に合わせることができ、簡単な構成で前当て部３と上当て部４とを連動させて制御することができる。
【００８９】
尚、本実施形態においては、上当て部４の上当回動中心Ｃ４が口板２よりも下方側に配置されている場合について説明したが、これに限られず、例えば、口板２よりも上方側に配置される場合であってもよい。例えば、上当軸１３を口板２よりも上方側に配置し、上当て部４が下向きとなるように、上当軸１３に上当アーム１２を固定する。そして、口板２よりも上方側に上当待避位置Ｕ３を設定し、そこから下流側且つ下方側へ回動して待受位置Ｕ２に移動し、待受位置Ｕ２から更に下流側且つ下方側へ回動して規制位置Ｕ１となるように構成する。
【００９０】
また、本実施形態においては、前当て部３が位置決め位置Ｆ１と前当待避位置Ｆ２とを回動して移動する場合について説明したが、これに限られず、例えば、上下方向に移動することによって位置決め位置Ｆ１と前当待避位置Ｆ２とを移動するように構成することもできる。具体的には、前当て部３は、前当待避位置Ｆ２では搬送面２１よりも下方側に位置し、前当待避位置Ｆ２から上方へ平行移動することによって搬送面２１から上方に突出した位置決め位置Ｆ１へ移動するように構成されてもよい。
【図面の簡単な説明】
【００９１】
【図１】本発明の一実施形態に係る印刷機における給紙部を示す部分概略図。
【図２】同印刷機における給紙部の前当て部を示す部分概略図。
【図３】同印刷機における給紙部の上当て部を示す部分概略図。
【図４】同印刷機における給紙部を示す部分斜視図。
【図５】前当て部と上当て部とが回動する様子を示す部分概略図であり、前当て部が前当待避位置に位置し、上当て部が上当待避位置に位置している様子を示す図。
【図６】前当て部と上当て部とが回動する様子を示す部分概略図であり、前当て部が前当待避位置から位置決め位置へ移動し、上当て部が上当待避位置から待受位置へ移動する途中の様子を示す図。
【図７】前当て部と上当て部とが回動する様子を示す部分概略図であり、前当て部が位置決め位置に位置し、上当て部が待受位置に位置している様子を示す図。
【図８】前当て部と上当て部とが回動する様子を示す部分概略図であり、前当て部が位置決め位置に位置し、上当て部が規制位置に位置している様子を示す図。
【図９】図８のＡ部拡大図。
【符号の説明】
【００９２】
１…給紙部、２…口板、３…前当て部、４…上当て部、５…スウィング爪、６…前当アーム、７…前当軸、８…カム軸、９…前当カム、１０…前当伝達手段、１１…付勢手段、１２…上当アーム、１３…上当軸、１４…上当カム、１５…上当伝達手段、２１…搬送面、３１…突片、３２…連結片、３３…当接面、４１…規制面、４２…誘導面、４３…コロ、５１…グリッパ、９１…前当待避対応部、９２…位置決対応部、１０１…前当軸アーム、１０２…回転伝達部、１０３…前当リンク、１４１…上当待避対応部、１４２…待受対応部、１４３…規制対応部、１５１…上当軸アーム、１５２…上当リンク、２１１…搬送主面、２１２…搬送下流面、２１３…搬送上流面、１０２１…基部、１０２２…リンクアーム、１０２３…カムアーム、１０２４…付勢アーム、Ｄ…給紙胴、Ｐ…枚葉紙、ＣＦ…カムフォロア、Ｃ１…前当回動中心（前当軸の軸線）、Ｃ２…カム軸の軸線、Ｃ３…伝達回動中心、Ｃ４…上当回動中心（上当軸の軸線）、Ｃ５…爪回動中心、Ｆ１…位置決め位置、Ｆ２…前当待避位置、Ｕ１…規制位置、Ｕ２…待受位置、Ｕ３…上当待避位置、Ｘ…搬送方向
【図１】
2008194931.tif 000003
【図２】
2008194931.tif 000004
【図３】
2008194931.tif 000005
【図４】
2008194931.tif 000006
【図５】
2008194931.tif 000007
【図６】
2008194931.tif 000008
【図７】
2008194931.tif 000009
【図８】
2008194931.tif 000010
【図９】
2008194931.tif 000011